【手続補正書】
【提出日】平成15年11月13日(2003.11.13)
【手続補正１】
【補正対象書類名】明細書
【補正対象項目名】特許請求の範囲
【補正方法】変更
【補正の内容】
【特許請求の範囲】
【請求項１】
電子写真画像形成装置本体に装着され、電子写真感光体に形成された静電潜像を現像するために用いられる現像装置において、
電子写真感光体に形成された静電潜像を現像するために、前記電子写真感光体へ現像剤を搬送するための現像剤担持体と、
第一の導電部と、
前記第一の導電部との間で静電容量を発生するように設けられた第二の導電部と、
前記第一の導電部に印加する電圧を前記電子写真画像形成装置本体から受けるための第一の電気接点と、
現像剤の残量を前記電子写真画像形成装置本体で検出するために、前記第一の導電部に電圧を印加した際に発生する、前記第一の導電部と第二の導電部間の静電容量に応じた電気信号を前記電子写真画像形成装置本体に伝達するための第二の電気接点と、
を有することを特徴とする現像装置。
【請求項２】
電子写真画像形成装置本体に装着され、電子写真感光体に形成された静電潜像を現像するために用いられる現像装置において、
前記電子写真感光体に形成された静電潜像を現像するために、前記電子写真感光体へ現像剤を搬送するための現像剤担持体と、
第一の導電部と、
前記第一の導電部との間で静電容量を発生するように設けられた第二の導電部と、
前記第一の導電部に印加する電圧を前記電子写真画像形成装置本体から受けるための第一の電気接点と、
前記電子写真画像形成装置本体から前記現像剤担持体に電圧が印加された際に、前記現像剤担持体との間で静電容量を発生させるための第三の導電部と、
現像剤の残量を前記電子写真画像形成装置本体で検出するために、前記第一の導電部に電圧を印加した際に発生する前記第一の導電部と第二の導電部間の静電容量に応じた電気信号と、前記現像剤担持体に電圧を印加した際に発生する前記現像剤担持体と第三の導電部間の静電容量に応じた電気信号とを合成した電気信号を前記電子写真画像形成装置本体に伝達するための第二の電気接点と、
を有することを特徴とする現像装置。
【請求項３】
前記第三の導電部は前記第二の導電部と一体に構成されていることを特徴とする請求項２の現像装置。
【請求項４】
前記第三の導電部は前記第二の導電部に対し屈曲していることを特徴とする請求項３の現像装置。
【請求項５】
前記第三の導電部は、前記現像剤担持体と対向して配置されていることを特徴とする請求項２、３又は４の現像装置。
【請求項６】
前記第三の導電部は、前記第一の導電部及び前記第二の導電部よりも、前記現像剤担持体の近くに配置されていることを特徴とする請求項２、３、４又は５の現像装置。
【請求項７】
更に、前記電子写真画像形成装置本体から前記現像剤担持体に電圧が印加された際に、前記現像剤担持体との間で静電容量を発生させるための第三の導電部を有することを特徴とする請求項１の現像装置。
【請求項８】
電子写真画像形成装置本体に着脱可能なプロセスカートリッジにおいて、
（ａ）電子写真感光体と、
（ｂ）前記電子写真感光体に形成された静電潜像を現像するために、前記電子写真感光体へ現像剤を搬送する現像剤担持体と、
第一の導電部と、
前記第一の導電部との間で静電容量を発生するように設けられた第二の導電部と、
前記第一の導電部に印加する電圧を前記電子写真画像形成装置本体から受けるための第一の電気接点と、
前記第一の導電部に電圧を印加した際に発生する、前記第一の導電部と第二の導電部間の静電容量に応じた電気信号を前記電子写真画像形成装置本体に伝達するための第二の電気接点と、
を有する現像装置と、
を有することを特徴とするプロセスカートリッジ。
【請求項９】
電子写真画像形成装置本体に着脱可能なプロセスカートリッジにおいて、
（ａ）電子写真感光体と、
（ｂ）前記電子写真感光体に形成された静電潜像を現像するために、前記電子写真感光体へ現像剤を搬送する現像剤担持体と、
第一の導電部と、
前記第一の導電部との間で静電容量を発生するように設けられた第二の導電部と、
前記第一の導電部に印加する電圧を前記電子写真画像形成装置本体から受けるための第一の電気接点と、
前記電子写真画像形成装置本体から前記現像剤担持体に電圧が印加された際に、前記現像剤担持体との間で静電容量を発生させるための第三の導電部と、
現像剤の残量を前記電子写真画像形成装置本体で検出するために、前記第一の導電部に電圧を印加した際に発生する前記第一の導電部と第二の導電部間の静電容量に応じた電気信号と、前記現像剤担持体に電圧を印加した際に発生する前記現像剤担持体と第三の導電部間の静電容量に応じた電気信号とを合成した電気信号を前記電子写真画像形成装置本体に伝達するための第二の電気接点と、
を有する現像装置と、
を有することを特徴とするプロセスカートリッジ。
【請求項１０】
前記第三の導電部は前記第二の導電部と一体に構成されていることを特徴とする請求項９のプロセスカートリッジ。
【請求項１１】
前記第三の導電部は前記第二の導電部に対し屈曲していることを特徴とする請求項１０のプロセスカートリッジ。
【請求項１２】
前記第三の導電部は、前記現像剤担持体と対向して配置されていることを特徴とする請求項９、１０又は１１のプロセスカートリッジ。
【請求項１３】
前記第三の導電部は、前記第一の導電部及び前記第二の導電部よりも、前記現像剤担持体の近くに配置されていることを特徴とする請求項９、１０、１１又は１２のプロセスカートリッジ。
【請求項１４】
更に、前記電子写真画像形成装置本体から前記現像剤担持体に電圧が印加された際に、前記現像剤担持体との間で静電容量を発生させるための第三の導電部を有することを特徴とする請求項８のプロセスカートリッジ。
【請求項１５】
記録媒体に画像を形成するための電子写真画像形成装置において、
（ａ）電子写真感光体と、
（ｂ）前記電子写真感光体に静電潜像を形成するための静電潜像形成手段と、
（ｃ）前記電子写真感光体に形成された静電潜像を現像するために、前記電子写真感光体へ現像剤を搬送する現像剤担持体と、
第一の導電部と、
前記第一の導電部との間で静電容量を発生するように設けられた第二の導電部と、
前記第一の導電部に印加する電圧を前記電子写真画像形成装置本体から受けるための第一の電気接点と、
前記第一の導電部に電圧を印加した際に発生する、前記第一の導電部と第二の導電部間の静電容量に応じた電気信号を前記電子写真画像形成装置本体に伝達するための第二の電気接点と、
を有する現像装置と、
（ｄ）前記第二の電気接点から伝達された電気信号に基づいて、前記現像装置内に存在する現像剤を検出するための現像剤量検出手段と、
を有することを特徴とする電子写真画像形成装置。
【請求項１６】
記録媒体に画像を形成するための電子写真画像形成装置において、
（ａ）電子写真感光体と、
（ｂ）前記電子写真感光体に静電潜像を形成するための静電潜像形成手段と、
（ｃ）前記電子写真感光体に形成された静電潜像を現像するために、前記電子写真感光体へ現像剤を搬送するための現像剤担持体と、
第一の導電部と、
前記第一の導電部との間で静電容量を発生するように設けられた第二の導電部と、
前記第一の導電部に印加する電圧を前記電子写真画像形成装置本体から受けるための第一の電気接点と、
前記電子写真画像形成装置本体から前記現像剤担持体に電圧が印加された際に、前記現像剤担持体との間で静電容量を発生させるための第三の導電部と、
現像剤の残量を前記電子写真画像形成装置本体で検出するために、前記第一の導電部に電圧を印加した際に発生する前記第一の導電部と第二の導電部間の静電容量に応じた電気信号と、前記現像剤担持体に電圧を印加した際に発生する前記現像剤担持体と第三の導電部間の静電容量に応じた電気信号とを合成した電気信号を前記電子写真画像形成装置本体に伝達するための第二の電気接点と、
を有する現像装置と、
（ｄ）前記第二の電気接点から伝達された電気信号に基づいて、前記現像装置内に存在する前記現像剤量を検出するための現像剤量検出手段と、
を有することを特徴とする電子写真画像形成装置。
【請求項１７】
プロセスカートリッジを着脱可能であって、記録媒体に画像を形成するための電子写真画像形成装置において、
（ａ）電子写真感光体と、
前記電子写真感光体に形成された静電潜像を現像するために、前記電子写真感光体へ現像剤を搬送する現像剤担持体と、
第一の導電部と、
前記第一の導電部との間で静電容量を発生するように設けられた第二の導電部と、
前記第一の導電部に印加する電圧を前記電子写真画像形成装置本体から受けるための第一の電気接点と、
前記第一の導電部に電圧を印加した際に発生する、前記第一の導電部と第二の導電部間の静電容量に応じた電気信号を前記電子写真画像形成装置本体に伝達するための第二の電気接点と、
を有する現像装置と、
を有するプロセスカートリッジを取り外し可能に装着するための装着手段と、
（ｂ）前記電子写真感光体に静電潜像を形成するための静電潜像形成手段と、
（ｃ）前記第二の電気接点から伝達された電気信号に基づいて、前記現像装置内に存在する前記現像剤量を検出するための現像剤量検出手段と、
を有することを特徴とする電子写真画像形成装置。
【請求項１８】
プロセスカートリッジを着脱可能であって、記録媒体に画像を形成するための電子写真画像形成装置において、
（ａ）電子写真感光体と、
前記電子写真感光体に形成された静電潜像を現像するために、前記電子写真感光体へ現像剤を搬送する現像剤担持体と、
第一の導電部と、
前記第一の導電部との間で静電容量を発生するように設けられた第二の導電部と、
前記電子写真画像形成装置本体から前記現像剤担持体に電圧が印加された際に、前記現像剤担持体との間で静電容量を発生させるための第三の導電部と、
現像剤の残量を前記電子写真画像形成装置本体で検出するために、前記第一の導電部に電圧を印加した際に発生する前記第一の導電部と第二の導電部間の静電容量に応じた電気信号と、前記現像剤担持体に電圧を印加した際に発生する前記現像剤担持体と第三の導電部間の静電容量に応じた電気信号とを合成した電気信号を前記電子写真画像形成装置本体に伝達するための第二の電気接点と、
を有する現像装置と、
を有するプロセスカートリッジを取り外し可能に装着するための装着手段と、
（ｂ）前記電子写真感光体に静電潜像を形成するための静電潜像形成手段と、
（ｃ）前記第二の電気接点から伝達された電気信号に基づいて、前記現像装置内に存在する前記現像剤量を検出するための現像剤量検出手段と、
を有することを特徴とする電子写真画像形成装置。
【請求項１９】
電子写真画像形成装置本体に着脱可能なプロセスカートリッジに用いられる現像フレームにおいて、
電子写真感光体に形成された静電潜像を現像するために、前記電子写真感光体へ現像剤を搬送するための現像剤担持体装着部と、
第一の導電部を装着するための第一の導電部装着部と、
第二の導電部を、前記第一の導電部装着部に装着された第一の導電部との間で静電容量を発生するように装着するための第二の導電部装着部と、
を有することを特徴とする現像フレーム。
【請求項２０】
電子写真画像形成装置本体に着脱可能なプロセスカートリッジに用いられる現像フレームにおいて、
電子写真感光体に形成された静電潜像を現像するために、前記電子写真感光体へ現像剤を搬送するための現像剤担持体を装着するための現像剤担持体装着部と、
第一の導電部を装着するための第一の導電部装着部と、
第二の導電部を、前記第一の導電部装着部に装着された第一の導電部との間で静電容量を発生するように装着するための第二の導電部装着部と、
第三の導電部を、前記現像剤担持体装着部に装着された現像剤担持体と対向して装着するための第三の導電部装着部と、
を有することを特徴とする現像フレーム。
【手続補正２】
【補正対象書類名】明細書
【補正対象項目名】００２５
【補正方法】削除
【補正の内容】
【手続補正３】
【補正対象書類名】明細書
【補正対象項目名】００２６
【補正方法】削除
【補正の内容】
【手続補正４】
【補正対象書類名】明細書
【補正対象項目名】００２７
【補正方法】削除
【補正の内容】
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】